(57)【要約】【課題】切り離し可能なカード部を切り離し後にラミネート加工して、カードの耐久性を向上させることができる印刷物および印刷媒体を提供する。【解決手段】本発明の印刷物は、第１樹脂シート１と、上記第１樹脂シート１に接着層６を介して剥離可能に積層された印刷媒体３とを含み、上記第１樹脂シート１と印刷媒体３との積層体４に、切れ込み１３で囲まれた切り離し可能なカード部７が設けられ、上記カード部７のうち印刷媒体３が第１樹脂シート１と接着層６を残して剥離しうることにより、第１樹脂シート１がラミネートされたカードを容易に形成でき、また、印刷媒体３のカード部７に書き込みをした後に書き込みの上を第１樹脂シート１でラミネートすることもできる。【選択図】図１
2004224062.tif 000002
【特許請求の範囲】
【請求項１】
第１樹脂シートと、上記第１樹脂シートに接着層を介して剥離可能に積層された印刷媒体とを含み、上記第１樹脂シートと印刷媒体との積層部に、切り取り線で囲まれた切り離し可能なカード部が設けられ、上記カード部のうち印刷媒体が第１樹脂シートと接着層を残して剥離しうるようになっていることを特徴とする印刷物。
【請求項２】
上記印刷媒体の第１樹脂シートと密着する面が易剥離面に形成されている請求項１記載の印刷物。
【請求項３】
第１樹脂シートと、上記第１樹脂シートに接着層を介して剥離可能に積層された印刷媒体とを含み、上記第１樹脂シートと印刷媒体との積層部に、切り取り線で囲まれた切り離し可能なカード部が設けられ、上記カード部のうち印刷媒体が第１樹脂シートと接着層を残して剥離しうるようになっていることを特徴とする印刷媒体。
【発明の詳細な説明】
【技術分野】
【０００１】
本発明は、切り離し可能なカード部を有する印刷物および印刷媒体に関するものである。
【背景技術】
【０００２】
切り離し可能なカード部を有する印刷物として、図８に示すように、封筒の宛先記載部位に、切断予定線３７で囲まれたカード部３５を形成し、上記カード部３５の裏面に、肉厚のあるカード３６を接合し、肉厚のあるカード３６を郵送することができる封筒が提案されている（例えば、下記の特許文献１参照。）。
【特許文献１】特開平１１−１１４９２号公報
【発明の開示】
【発明が解決しようとする課題】
【０００３】
しかしながら、上記封筒のカード３６は、表面に封筒の宛先記載部位が露出したままであるため、使用を続けると、紙である宛先記載部位が破れたり汚れたりして、カードとしての耐久性に劣るという問題がある。
【０００４】
本発明は、このような事情に鑑みなされたもので、切り離し可能なカード部を切り離し後にラミネート加工して、カードの耐久性を向上させることができる印刷物および印刷媒体の提供を目的とする。
【課題を解決するための手段】
【０００５】
上記の目的を達成するため、本発明の印刷物は、第１樹脂シートと、上記第１樹脂シートに接着層を介して剥離可能に積層された印刷媒体とを含み、上記第１樹脂シートと印刷媒体との積層部に、切り取り線で囲まれた切り離し可能なカード部が設けられ、上記カード部のうち印刷媒体が第１樹脂シートと接着層を残して剥離しうるようになっていることを要旨とする。また、本発明の印刷媒体は、第１樹脂シートと、上記第１樹脂シートに接着層を介して剥離可能に積層された印刷媒体とを含み、上記第１樹脂シートと印刷媒体との積層部に、切り取り線で囲まれた切り離し可能なカード部が設けられ、上記カード部のうち印刷媒体が第１樹脂シートと接着層を残して剥離しうるようになっていることを要旨とする。
【発明の効果】
【０００６】
すなわち、本発明の印刷物および印刷媒体は、第１樹脂シートと、上記第１樹脂シートに接着層を介して剥離可能に積層された印刷媒体とを含み、上記第１樹脂シートと印刷媒体との積層部に、切り取り線で囲まれた切り離し可能なカード部が設けられている。そして、上記カード部のうち印刷媒体が第１樹脂シートと接着層を残して剥離しうるようになっている。
【０００７】
このため、剥離された印刷媒体の表面が第１樹脂シートによってラミネートされたカードを容易に得ることができる。このカードの第１樹脂シートがラミネートされていない裏面には、手書き，ゴム版，捺印，印刷などの自由な書き込みを行うこともできる。その後、印刷物に残された上記第１樹脂シートのカード部に、上記カードのラミネートされていない裏面を対面させ、第１樹脂シートに残った接着層によって接着させる。そして、上記第１樹脂シートと印刷媒体の積層体を、第１樹脂シートのカード部周辺に設けられた切り取り線から切り離し、印刷媒体に第１樹脂シートがラミネートされたカードを得ることができる。
【０００８】
このように、印刷媒体に樹脂シートがラミネートされたカードを容易に形成することができるため、定期入れ等に入れて携帯しても、しわになったり傷んだりし難く、非常に耐久性に優れる。また、印刷媒体のカード部に書き込みをした後に書き込みの上を樹脂シートでラミネートすることができるため、書き込みが消えたり汚損することがほとんどなくなる。
【０００９】
本発明において、上記第１樹脂シートの切り取り線が、断続的な切れ込みからなるものである場合には、カード部を切り離す前は、カード部が印刷物から容易に切り離されないように保持するとともに、第１樹脂シートの切り離しが必要になったときには、上記切れ込みから上記第１樹脂シートのカード部を容易に切り離すことができる。
【００１０】
本発明において、上記印刷媒体の切り取り線が、実質的に連続する切れ込みからなるものである場合には、カード部のうち印刷媒体を第１樹脂シートから容易に剥離することができる。
【００１１】
本発明において、上記印刷媒体の第１樹脂シートと密着する面が易剥離面に形成されている場合には、接着層に剥離跡をほとんど残さず、かつ、接着力もそれほど低下させずに印刷媒体を第１樹脂シートから剥離することができる。
【００１２】
なお、本発明において「易剥離面」とは、印刷媒体を接着層から容易に剥離しうる表面をいい、例えばシリコーン被覆面，フッ素樹脂被覆面，エンボス加工面，ブラスト加工面等をあげることができるが、これらに限定されるものではない。
【００１３】
本発明において、上記カード部に、磁気記録層を存在させている場合には、切り離したカードを、情報が記録できる磁気記録カード等として利用でき、各種の用途に用いることができ、便利である。
【００１４】
本発明において、上記カード部に、バーコードが設けられている場合には、切り離したカードを、各種の情報が記録できる情報記録カードとして利用でき、各種の用途に用いることができ、便利である。
【００１５】
また、上記バーコードとして２次元コードを用いた場合には、記録できる情報量が極めて多くなり、極めて低コストで、音声や画像等のデータを記録できるようになる。
【００１６】
本発明において、上記カード部にＩＣチップを存在させている場合には、切り離したカードを、例えば、高密度情報が記録できるＩＣカードやメモリカード等として利用でき、各種の用途に用いることができ、便利である。
【発明を実施するための最良の形態】
【００１７】
つぎに、本発明を実施するための最良の形態を説明する。
【実施例１】
【００１８】
図１および図２は、本発明の印刷物の一実施の形態を示す。このものは、第１樹脂シート１と、上記第１樹脂シート１に接着層６を介して剥離可能に積層された第２樹脂シート２と、上記第２樹脂シート２に積層された印刷媒体３とを備えている。上記第１および第２樹脂シート１，２と印刷媒体３との積層体４には、切れ込み（切り取り線）１３，１４で囲まれた切り離し可能なカード部７が設けられ、上記カード部７のうち第２樹脂シート２と印刷媒体３とが、第１樹脂シート１と接着層６を残して剥離しうるようになっている。
【００１９】
より詳しく説明すると、上記第１樹脂シート１の裏面には、接着層６が形成されており、上記接着層６を介して、第２樹脂シート２が剥離可能に積層されている。
【００２０】
上記第２樹脂シート２の表面には、シリコーン被覆層５が形成され、その表面が易剥離面９に形成されている。また、上記第２樹脂シート２の裏面には、上記印刷媒体３に一体的に積層するための接着層（図示せず）が形成されている。第２樹脂シート２の、第１樹脂シート１と密着する表面が易剥離面９に形成されているため、接着層６に剥離跡をほとんど残さず、かつ、接着力もそれほど低下させずに上記第２樹脂シート２を第１樹脂シート１から容易に剥離することができる。
【００２１】
上記第１および第２樹脂シート１,２は、同一の大きさの略長方形に形成されており、印刷媒体３に積層してもはみ出さない程度の大きさに形成されている。そして、上記カード部７は、上記積層体４のうち上記切れ込み１３，１４で囲まれた切り離し可能な略長方形の部分であり、上記カード部７の第２樹脂シート２と印刷媒体３との間には、磁気テープ２０が挟まれている。
【００２２】
上記第１および第２樹脂シート１，２としては、特に限定するものではなく、各種のものを用いることができる。例えば、ポリエステル，ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等があげられる。これらの中でも、ポリエステル、特にＰＥＴは、透明性，強靭性，電気絶縁性，寸法安定性に優れているため、好適に用いることができる。
【００２３】
上記第１および第２樹脂シート１，２の厚みとしては、特に限定するものではないが、２５μｍ以上１００μｍ以下程度が好ましい。２５μｍ未満であると強度が低く、１００μｍを超えると、上記切れ込み１３から第１樹脂シート１を切り離し難くなるためである。
【００２４】
上記第１および第２樹脂シート１，２と印刷媒体３との積層体４には、略長方形の切れ込み１３，１４が形成され、上記切れ込み１３，１４で囲まれた部分が、切り離し可能なカード部７に形成されている。上記第１樹脂シートの切れ込み１３は、図３に示すように、断続的な切れ込み１３からなり、印刷媒体３から第２樹脂シート２にわたる切れ込み１４は、実質的に連続する切れ込み１４からなっている。上記第１樹脂シート１の切れ込み１３が、断続的な切れ込み１３であるため、カード部７を剥離する前は、カード部７が印刷物から容易に切り離されないように保持するとともに、第１樹脂シート１の切り離しが必要になったときは、上記切れ込み１３から上記第１樹脂シート１を切断してカード部７を容易に切り離すことができる。また、印刷媒体３から第２樹脂シート２にわたっては実質的に連続する切れ込み１４が形成されているため、カード部７のうち第２樹脂シート２と印刷媒体３を第１樹脂シート１から容易に剥離することができる。
【００２５】
上記印刷物は、例えば、つぎのようにしてつくることができる。まず、印刷媒体３にオフセット，スクリーン等の所望の手法で印刷を行う。一方、図４に示すように、第１樹脂シート１の接着層６と第２樹脂シート２の易剥離面９を密着して積層する。ついで、第１および第２樹脂シート１，２の積層体と印刷媒体３とを、それらの間に磁気テープ２０（図４には示していない）を挟みながら積層して接着し、積層体４を形成する。
【００２６】
つぎに、上記積層体４に、マイクロミシン用の切刃１２により、印刷媒体３の裏面側から略長方形の切れ込みを入れ、切れ込み１３，１４を形成する。このとき、上記切刃１２の上縁が第１樹脂シート１の厚みと同じ寸法Ｌだけギザギザに形成されていることから、印刷媒体３から第２樹脂シート２にわたっては実質的に連続する切れ込み１４が形成され、上記第１樹脂シート１には断続的な切れ込み１３が形成される。このようにして、切り離し可能なカード部７を形成させ、本発明の印刷物を得る。
【００２７】
上記印刷物は、例えば、つぎのようにして使用される。すなわち利用者は、上記印刷媒体３のカード部７の裏面に手書き等で自由に書き込みをした後、図５に示すように、積層体４のカード部７のうち第２樹脂シート２と印刷媒体３とを、連続する切れ込み１４の部分を境に、第１樹脂シート１と接着層６を残して剥離する。このとき、第２樹脂シート２と印刷媒体３のカード部７が実質的に連続する切れ込み１４で囲まれているため、第２樹脂シート２と印刷媒体３を容易に剥離することができる。また、第１樹脂シート１のカード部７が断続的な切れ込み１３で囲まれているため、第１樹脂シート１のカード部７が不用意に切り離されてしまわない。
【００２８】
そののち、上記カード部７のうち第２樹脂シート２と印刷媒体３とを剥離して得られたカード１０をひっくり返し、その裏面を印刷物に残された第１樹脂シート１のカード部７に、接着層６を介して接着する。このようにしてできたカード部７の積層体を第１樹脂シート１に設けられた切れ込み１３から切り離すことにより、印刷媒体３の両面が第１および第２樹脂シート１，２でラミネートされたカード１１を得ることができる。そして、カード１１は、第２樹脂シート２と印刷媒体３の間に磁気テープ２０が挟まれているため、会員証等だけでなく、情報が記録できる磁気記録カード等として銀行カードや住民カード，クレジットカード，プリペイドカード等、各種の用途に用いることができ、便利である。
【００２９】
このように、上記印刷物によれば、印刷媒体３の両面に第１および第２樹脂シート１，２がラミネートされたカード１１を容易に形成することができるため、定期入れ等に入れて携帯しても、しわになったり傷んだりし難く、非常に耐久性に優れる。また、印刷媒体３のカード部７に書き込みをした後に書き込みの上を第１樹脂シート１でラミネートすることができるため、書き込みが消えたり汚損することがほとんどなくなる。
【００３０】
なお、上記実施の形態では、磁気テープ２０をカード部７の第２樹脂シート２と印刷媒体３との間に挟んだものを例示したが、これに限定するものではなく、例えば、第１および第２樹脂シート１，２のうちいずれかを磁気フィルムとすることにより磁気記録が行えるようにしてもよい。また、上記実施の形態では、カード１１を磁気テープ２０を存在させた磁気記録カードとして使用するものを例示したが、これに限定するものではなく、磁気テープ２０を存在させない会員証や名刺などに使用するようにしてもよい。
【００３１】
図６は、本発明の第２の実施の形態を示す。このものは、カード部７に磁気テープ２０を存在させているのではなく、２次元バーコード２１を印刷したものを示す。このものでは、比較的容量の大きな情報を、低コストで記録することができる。そして、例えば、個人情報や音声情報等の識別情報が記録できるＩＤカードとして利用でき、会員カードや入退室ＩＤカード等各種の用途に用いることができ、便利である。それ以外は、上記第１の実施の形態と同様であり、同様の作用効果を示す。
【００３２】
図７は、本発明の第３の実施の形態を示す。このものは、カード部７に磁気テープ２０を存在させているのではなく、ＩＣチップ２２を存在させたものを示す。このものでは、例えば、高密度情報が記録できるＩＣカードやメモリカード等として利用でき、プリペイドカードやゲームカード等各種の用途に用いることができる。それ以外は、上記第１の実施の形態と同様であり、同様の作用効果を示す。
【００３３】
なお、上記各実施の形態の印刷物を、カード部７を剥離等する前に印刷を行う印刷用記録紙として使用してもよい。また、上記各実施の形態では、易剥離面９はシリコーン被覆層５によって加工したものを例示したが、これに限定するものではなく、フッ素樹脂皮膜による加工，エンボス加工，ブラスト加工等密着する接着層６から容易に剥離できるものであれば特に限定するものではない。
【００３４】
上記各実施の形態では、印刷媒体３のカード部７に書き込みをした後に、カード部７のうち第２樹脂シート２と印刷媒体３を剥離する例を示したが、これに限定するものではなく、カード部７のうち第２樹脂シート２と印刷媒体３を剥離した後に書き込みをするようにしてもよい。また、上記各実施の形態では、積層体４に切り取り線として、切れ込み１３，１４が形成されたものを例示したが、これに限定するものではなく、積層体４からカード部７が切り離し可能に形成されていれば各種の態様のものを用いることができる。
【００３５】
上記各実施の形態では、切り離し可能なカード部７が略長方形であるものを例示したが、これに限定するものではなく、ハート型や星型等各種の形状にすることができる。
【産業上の利用可能性】
【００３６】
本発明は、第１樹脂シートと印刷媒体との積層部に、切り取り線で囲まれた切り離し可能なカード部が設けられ、上記カード部のうち印刷媒体が第１樹脂シートと接着層を残して剥離しうるようにしたことで、使用者がカードに自由な書き込みを行なうことができるとともに、カードの耐久性を向上させる用途に適用できる
【図面の簡単な説明】
【００３７】
【図１】本発明の一実施の形態の印刷物を示す斜視図である。
【図２】上記印刷物の断面図である。
【図３】切り取り線を示す平面図であり、（ａ）は第１樹脂シート、（ｂ）は第２樹脂シート、（ｃ）は印刷媒体である。
【図４】上記印刷物の製造工程を示す断面図である。
【図５】上記印刷物よりカード部を切り離してカードを作成する状態を示す断面図である。
【図６】本発明の第２の実施の形態の印刷物を示す平面図である。
【図７】本発明の第３の実施の形態の印刷物を示す平面図である。
【図８】従来例を示す斜視図である。
【符号の説明】
【００３８】
１        第１樹脂シート
２        第２樹脂シート
３        印刷媒体
４        積層体
６        接着層
７        カード部
１３      切れ込み
【図１】
2004224062.tif 000003
【図２】
2004224062.tif 000004
【図３】
2004224062.tif 000005
【図４】
2004224062.tif 000006
【図５】
2004224062.tif 000007
【図６】
2004224062.tif 000008
【図７】
2004224062.tif 000009
【図８】
2004224062.tif 000010